(57)【特許請求の範囲】
【請求項１】
競技の情報を利用者端末に提供する競技情報提供システムであって、
競技に関するテキスト情報を含む記事情報を提供する第一の情報元サーバ、
競技に出場する馬名情報のリスト情報を提供する第二の情報元サーバ、
馬名情報を登録したテーブルと、前記第一の情報元サーバの記事情報に含まれるテキスト情報から該テーブルに登録された馬名情報を検出する手段と、該検出された馬名情報を含む該記事情報と前記第二の情報元サーバのリスト情報内の馬名情報とをリンクによって関連付ける手段と、前記利用者端末からのアクセスがあると、前記第二の情報元サーバのリスト情報を送信し、前記利用者端末から該リスト情報に含まれる馬名情報に対してアクセスがあると、該リスト情報の馬名情報に該リンクによって関連付けられた該記事情報を前記利用者端末に送信する手段とを有する情報提供サーバ、
からなることを特徴とする競技情報提供システム。
【請求項２】
競技に関するテキスト情報を含む記事情報を提供する第一の情報元サーバと競技に出場する馬名情報のリスト情報を提供する第二の情報元サーバから取得した競技の情報を利用者端末に提供する競技情報提供装置であって、
馬名情報を登録したテーブルと、
前記第一の情報元サーバの記事情報に含まれるテキスト情報から該テーブルに登録された馬名情報を検出する手段と、
前記検出された馬名情報を含む該記事情報と前記第二の情報元サーバのリスト情報内の馬名情報とをリンクによって関連付ける手段と、
前記利用者端末からのアクセスがあると、前記第二の情報元サーバのリスト情報を送信し、前記利用者端末から該リスト情報に含まれる馬名情報に対してアクセスがあると、該リスト情報の馬名情報に前記リンクによって関連付けられた該記事情報を前記利用者端末に送信する手段と、
を有することを特徴とする競技情報提供装置。
【請求項３】
競技に関する記事情報を提供する第一の情報元サーバと競技に出場する馬名情報のリスト情報を提供する第二の情報元サーバから取得した競技の情報を利用者端末に提供する競技情報提供プログラムであって、コンピュータに、
前記第一の情報元サーバの記事情報に含まれるテキスト情報から馬名情報を予め登録したテーブルに含まれる馬名情報を検出するステップと、
前記検出された馬名情報を含む記事情報と前記第二の情報元サーバのリスト情報内の馬名情報とをリンクによって関連付けるステップと、
前記利用者端末からのアクセスがあると、前記第二の情報元サーバのリスト情報を送信し、前記利用者端末から該リスト情報に含まれる馬名情報に対してアクセスがあると、該リスト情報の馬名情報に前記リンクによって関連付けられた該記事情報を前記利用者端末に送信するステップと、
を実行させることを特徴とする競技情報提供プログラム。
【請求項４】
競技に関する記事情報を提供する第一の情報元サーバと競技に出場する馬名情報のリスト情報を提供する第二の情報元サーバから取得した競技の情報を利用者端末に提供する競技情報提供方法であって、コンピュータが、
前記第一の情報元サーバの記事情報に含まれるテキスト情報から馬名情報を予め登録したテーブルに含まれる馬名情報を検出するステップと、
前記検出された馬名情報を含む記事情報と前記第二の情報元サーバのリスト情報内の馬名情報とをリンクによって関連付けるステップと、
前記利用者端末からのアクセスがあると、前記第二の情報元サーバのリスト情報を送信し、前記利用者端末から該リスト情報に含まれる馬名情報に対してアクセスがあると、該リスト情報の馬名情報に前記リンクによって関連付けられた該記事情報を前記利用者端末に送信するステップと、
を実行することを特徴とする競技情報提供方法。
【発明の詳細な説明】
【０００１】
【発明の属する技術分野】
本発明は、競馬、競輪等の公営競技等のネットワークを介した情報提供に適用して有効な技術に関する。
【０００２】
【従来の技術】
この種の競技情報を提供するネットワークシステムとしては、新聞社等が単独で主催するサーバに各競技のデータを閲覧可能な状態にして、会員制または広告収入によってサイト運営を行うものが一般的であった。
【０００３】
たとえば、競馬情報の場合、新聞社が独自に開設したサイトにより、各レースの結果や予想をそれぞれ独自のフォーマットで表示していた。
【０００４】
【発明が解決しようとする課題】
しかし、このような各社独自のフォーマットによる情報提供では、ユーザにとって利便性が高くなく、個々のサイトによって情報形式が異なるため、情報の閲覧性が良いとはいえなかった。
【０００５】
本発明は、このような点に鑑みてなされたものであり、競技情報の提供に際して、複数の情報源からの最新のデータを時々刻々と入手し、統一的に表示可能な競技情報の提供方法を実現するものである。
【０００６】
【課題を解決するための手段】
本発明は、新聞社サーバ等より可読形式のソースデータを入力し、このソースデータから予め用意されたマッチングキーワードを検索し、このソースデータ中で索出されたマッチングキーワードの部分に個々のキーワードを解説する情報との関連付けを設定し、これを表示可能なフォーマットに変換するようにした。
【０００７】
このように、本発明によれば、複数の報道機関からのソースデータを情報閲覧用フォーマットに一括して変換し、競技主催者の時々刻々と変化する情報とを組み合わせて個々の説明情報とのリンクを自動生成することにより、ユーザにとって利便性・閲覧性の高い競技情報を提供することができる。
【０００８】
【発明の実施の形態】
【実施例】
以下、図面に基づいて、本発明の実施の形態を説明する。
【０００９】
図１は、本発明の実施例である競技情報提供システムの全体構成を示す概略図である。
【００１０】
同図に示すように、本実施例は競技情報提供サーバ１、新聞社サーバ２ａ，２ｂ、ＶＡＮサーバ３、認証・課金サーバ４、ユーザ端末（ＵＳＲ１，ＵＳＲ２・・・）がインターネット等のネットワーク（ＮＷ）で接続されている。
【００１１】
新聞社サーバ２ａは、記事データ・予想データ２１等のデータベースからデータを読み出してテキストデータ２２又はＨＴＭＬ形式に変換するテキスト／ＨＴＭＬ変換システム２３を有している。
【００１２】
この記事データは、たとえば競馬記事およびその予想記事で構成されたテキストデータである。このテキストデータは各新聞社サーバ２ａでテキスト形式データに変換されて画像データと組み合わされて競技情報提供サーバ１にネットワーク（ＮＷ）を介して送信されるようになっている。
【００１３】
ＶＡＮサーバ３は、競技主催者のサーバであり、過去の馬、騎手、調教師、出走、成績、オッズおよびその結果がＶＡＮデータ３１としてデータベース化されている。これらのデータも必要に応じて競技情報提供サーバ１に送信される。
【００１４】
この中で、オッズ情報は、経時的に変化する値であり、これらの値は数分〜数時間の単位でデータが更新されており、更新されたオッズ情報はほぼリアルタイムに競技情報提供サーバ１に送信されるようになっている。
【００１５】
競技情報提供サーバ１は、今週記事データ１０１、過去記事データ１０２、ＶＡＮ蓄積データ１０３およびＶＡＮ速報データ１０４をデータベースとして有しており、これらの情報が加工されてユーザに提供されるようになっている。特に前記オッズ情報については、ＶＡＮサーバ３よりほぼリアルタイムに時々刻々と変化する値が通知されるため、この値の更新にあわせて競技情報提供サーバ１においても時々刻々と変化するオッズ情報を提供することができる。
【００１６】
また、各新聞社サーバ２ａに対しても、図示しないタイマにより定期的に記事情報の送信を促すことにより、時々刻々と変化する情報を競技情報提供サーバ１に送信させることができる。
【００１７】
ユーザはユーザ端末ＵＳＲ１，ＵＳＲ２より認証・課金サーバ４ａ〜４ｄを通じて競技情報提供サーバ１にアクセス可能となっている。この認証・課金サーバ４ａ〜４ｄは、商業プロバイダサーバであり、会員制の認証および課金システムを有している。
【００１８】
図２は、本システムのハードウエア構成を示したものである。競技情報提供サーバ１は、同図に示すように、通信インターフェース（ＩＦ）を介してネットワーク（ＮＷ）に接続されており、その内部はバス（ＢＵＳ）を中心に、中央処理装置（ＣＰＵ）、主記憶装置（ＭＭ）、ハードディスク装置（ＨＤ）、表示装置（ＣＲＴ）およびキーボード（ＫＢＤ）で構成されている。
【００１９】
ハードディスク装置（ＨＤ）には、前述の新聞社サーバ２ａからの記事データ１０１，１０２およびＶＡＮサーバ３からのＶＡＮ蓄積データ１０３およびＶＡＮ速報データ１０４が一旦蓄積されるようになっている。
【００２０】
また、ハードディスク装置（ＨＤ）には、中央処理装置（ＣＰＵ）が実行する処理プログラムが格納されており、ＵＮＩＸ等のＯＳ（オペレーションシステム）上で競技情報提供サーバ１を機能させるようになっている。
【００２１】
これらの処理プログラムにより、新聞社サーバ２ａおよびＶＡＮサーバ３からのデータがデータベース化され、図４に示すように、買い目情報５１，記事情報５２等のデータベース（その他、各情報５１〜５６）が構築される。
【００２２】
また、前記処理プログラムで実現されるＨＴＭＬ生成部６３により、各情報が読み込まれて買い目ＨＴＭＬデータ５８，記事情報ＨＴＭＬデータ６０等のＨＴＭＬ形式のデータ（ＨＴＭＬデータ５７〜６２）が生成されるようになっている。
【００２３】
これらのＨＴＭＬデータは、ユーザ端末（ＵＳＲ１〜４）から認証・課金サーバ４ａ〜４ｄおよびネットワーク（ＮＷ）を介して閲覧可能となる。
【００２４】
図３は、このＨＴＭＬ生成部６３により生成された競技情報提供サーバ１のトップページ（最上位の階層のフロントページ）のユーザ端末（ＵＳＲ１）での表示例を示したものである。
【００２５】
図５および図６は、新聞社サーバ２ａから送信されたテキストデータをＨＴＭＬ生成部６３によって記事情報ＨＴＭＬデータ５９に変換した表示例を示したものである。
【００２６】
図５の６１ａ〜６１ｃは、新聞社サーバ２ａの表示データの表示例を示したものである。このデータはＨＴＭＬ形式であるが、これがテキスト／ＨＴＭＬ変換システム２３でテキストデータ２２又はＨＴＭＬ形式に変換され、競技情報提供サーバ１に送信される。
【００２７】
競技情報提供サーバ１では、このテキストデータ２２が一旦ハードディスク装置（ＨＤ）に蓄積された後、中央処理装置（ＣＰＵ）によって順次読み出され、データベース化されて、記事情報５２としてデータベース化されて再度ハードディスク装置（ＨＤ）に蓄積される。
【００２８】
次に、この記事情報５２は、処理プログラムで構成されるＨＴＭＬ生成部６３においてＨＴＭＬ形式（記事情報ＨＴＭＬデータ６０）に変換される。このとき、ハードディスク装置（ＨＤ）内に生成されたマッチングテーブル６４と対比される。マッチングテーブル６４には、キーワードが登録されており、キーワードに合致するＨＴＭＬファイルの箇所に個別情報６５とのリンクタグが挿入される。このマッチングテーブル６４には、馬名、競技名が登録されている。したがって、記事情報５２中に該当する馬名、競技名が発見されたときには、当該馬名、競技名に該当する個別情報６５に対してリンクが設定される。
【００２９】
すなわち図６の表示画面６０に示すように、記事情報中の馬名「ＡＢＣ」にリンクが設定されており、この部分は表示画面６５ａに示す個別情報と関連付けられている。
【００３０】
また、記事情報中の競技名「愛知杯」には表示画面６５ｂに示す個別情報リストと関連付けられている。この個別情報リストは表示画面６５ｃに示す各競技名の個別情報と関連付けられている。
【００３１】
図８は、買い目情報の表示画面を示したものである。買い目情報は新聞社サーバ２ａ，２ｂからテキストデータ２２の形式で受信され、これがデータベース化されて買い目情報５１としてハードディスク装置（ＨＤ）内に格納される。そして、各新聞社サーバ２ａ，２ｂからのテキストデータ２２が統合されてＨＴＭＬ生成部６３において買い目ＨＴＭＬデータ５８に加工されて再度ハードディスク装置（ＨＤ）内に格納される。このときのＨＴＭＬデータ５８の表示状態を示したものが図８の表示画面８０１、８０２である。
【００３２】
次に、ＶＡＮサーバ３より各競技のオッズデータが受信されると、これが開催レース情報５４としてデータベース化されてハードディスク装置（ＨＤ）内に格納される。そしてさらに、このオッズ情報は、ＨＴＭＬ生成部６３において前記買い目ＨＴＭＬデータ５８と合成されて、各買い目情報に並記されて表示される。この買い目とオッズ情報とが並記された表示画面を示したものが図８の表示画面８０１である。
【００３３】
次に、ＶＡＮサーバ３より各競技の結果データが受信されると、これが開催レース結果情報５５としてハードディスク装置（ＨＤ）内に格納される。
【００３４】
そして、これらの情報５５がＨＴＭＬ生成部６３において前記買い目ＨＴＭＬデータ５８と合成されて、各買い目情報にレース結果が並記された新たな買い目ＨＴＭＬデータ５８が生成される。この合成後の買い目ＨＴＭＬデータ５８の表示画面を示したものが図８の表示画面８０３である。
【００３５】
図７は、新聞社サーバ２ａから種々の情報を受信して競技情報提供サーバ１で表示データを生成するまでの手順を示したブロック図である。
【００３６】
新聞社サーバ２ａでは、既存テーブル７１より新聞社サーバ７１独自の表示用ＨＴＭＬファイル７２を生成するとともに、テキストデータ７３，７４，７５を生成する。これらのデータは、本紙コメントデータテキストファイル７３，追いきりデータテキストファイル７４および厩舎コメントデータテキストファイル７５として競技情報提供サーバ１に送信される。
【００３７】
これらのテキストファイル７３〜７５を受信した競技情報提供サーバ１では、レース情報テーブル７６を読み出して、個々の該当するテーブルへのデータ挿入処理７７を行い、各テーブル８２〜８４を生成する。このとき、記事フラグの設定を行い（７８）、レース情報テーブル７６に反映させる。
【００３８】
このようにして生成された各テーブル８１〜８４および出走表リスト８６（出走表ページ）に基づいて、図３に示したインデックスページおよび、本紙コメント＆買い目ページ８７、厩舎コメントページ８８および追いきりページ８９が生成される。
【００３９】
図９は、各データベースの更新タイミングを示したものである。同図に示すように、新聞社サーバ２ａより買い目、追いきり、記事データ、厩舎コメントの各テキストデータの入力がなされると、買い目情報５１、追いきり情報５３ａ、記事情報５２および厩舎コメント５３ｂの各情報データベースが更新され、これらのデータベースに基づいて生成されるＨＴＭＬデータも更新されるようになっている。
【００４０】
一方、ＶＡＮサーバ３より出走表データ、競走馬データ、騎手データ、調教師データおよび成績データが入力されると、これらのデータに対応するデータベースが更新され、これらに基づいてレース情報、今週レース情報、出走馬情報、競走馬情報、過去５走情報、騎手情報、調教師情報、成績情報、買い目情報等も更新されるようになっている。
【００４１】
以上に説明した各データベースの項目を示したものが図１０である。
【００４２】
図１１は、これらのデータの表示例を示したものである。同図において表示画面１１０１は競走馬能力表であり、この競走馬能力表は、ＶＡＮサーバ３から得られたレース情報、出走馬情報、登録馬情報、成績情報に基づいて各馬毎に生成される。このようなデータは中央処理装置（ＣＰＵ）のプログラムによって実現されるＨＴＭＬ生成部６３によって生成され、さらに詳細成績１１０２と詳細戦績１１０３とがＨＴＭＬ生成部６３によって生成されるようになっている。
【００４３】
図１２は、競技情報提供サーバ１において、各競技毎に設定される検討画面を示したものである。この検討画面は、中央処理装置（ＣＰＵ）のプログラムによって実現されるＨＴＭＬ生成部６３によって生成される。当該画面は、ユーザ端末（ＵＳＲ１〜４）の表示画面上で表示可能であり、ユーザは当該画面を参照して競技毎の検討を行うことができる。
【００４４】
ここで、本実施例では、図１２に示すように、評価基準を変更することができる。ここでの評価基準項目は、人気、過去５走、前走、前々走、コース適性等がそれぞれ同じ重み付け（ここでは全て１０に設定）で評価されているが、これらの評価ポイントはユーザが自身の端末（ＵＳＲ１〜４）上で自由に設定することができる。すなわち、「人気」を重視しないユーザは、人気の評価基準をたとえば「１０」から「８」程度に低く抑えることができる。
【００４５】
このようにして変更した基準値はＣＧＩを通じて競技情報提供サーバ１に送信され、中央処理装置（ＣＰＵ）は、変更された基準値に基づいて再計算を行い、順位を再表示する。
【００４６】
この結果、「人気」の評価があまり影響しない順位をシミュレーションすることができ、ユーザが各競技について柔軟な判断を行うことが可能となる。
【００４７】
次に、上記の競技情報提供システムを利用した、販売対象の変動値表示システムについて図面を参照しながら実施の形態を説明する。
【００４８】
この実施の形態は、次の課題を解決しようとするものである。すなわち、従来、販売対象（例えば、馬券）とその販売対象に対する経時的に変動し得る変動値（例えば、オッズ）とを表示するクライアント端末などの情報端末においては、その変動値としてある時点で得られた値を表示するにとどまっていた。その時点以後、変動値が更新された場合であっても、クライアント端末はその更新を反映した表示を行うことがなかった。
【００４９】
しかしながら、販売対象に対する変動値は販売対象を購入するか否かを決定するに際して極めて重要な要素となるものであるから、クライアント端末においては更新を反映した表示をできる限り行うことが望まれていた。
【００５０】
この実施の形態が解決しようとする課題は、販売対象に対する経時的に変動し得る変動値の更新表示を行うことができる装置、システム、及び、プログラムを提供することにある。
【００５１】
この課題を解決するために、次のように構成した。
【００５２】
販売対象とその販売対象に対する経時的に変動し得る変動値とを表示する販売対象の変動値表示装置であって、販売対象と販売対象に対する更新後の変動値とを保持する外部システムとの間でデータ通信を行う通信手段と、前記外部システムから前記通信手段を介して更新後の変動値を取得する取得手段と、前記取得された更新後の変動値に基づいて変動値の更新表示を行う更新表示手段とを備える。
【００５３】
このようにすれば、クライアント端末においては変動値の更新表示が行われる。このため、ユーザーは、更新表示される最新の変動値を参照しながら、購入対象を購入するか否かを決定することが可能になる。
【００５４】
上記の変動値表示装置は更に、購入しようとする販売対象を選択する選択手段と、購入金額を入力する入力手段と、前記選択された販売対象を指定するデータと前記入力された購入金額とを前記通信手段を介して所定システムに対して送信する送信手段とを備えるようにしてもよい。
【００５５】
前記販売対象は、例えば、競技に対する投票券であり、競馬に対する勝馬投票券（以下、馬券という）、競艇に対する投票券、オートレースに対する投票券、競輪に対する投票券などがある。変動値は、例えば、前記投票券に対するオッズである。
【００５６】
前記投票券は予想馬券であってもよい。この場合、変動値は予想馬券に対するオッズである。また、前記投票券は、その他の投票券に対する予想券であってもよい。
【００５７】
所定システムとしては、例えば、投票券が馬券である場合には、既存の投票系システムである。
【００５８】
以下に実施の形態の詳細を説明する。この実施の形態では、販売対象として馬券（単勝式、複勝式、枠番連勝式、馬番連勝式、及び、拡大馬番連勝式など）、変動値として馬券に対するオッズを例にして説明する。
【００５９】
図１３は、この実施の形態における販売対象の変動値表示システムの概略システム構成を説明するための図である。図１４、図１５は、主に、販売対象の変動値表示システムのハード構成を説明するための図である。図３０は、販売対象の変動値表示システムの従来のハード構成を説明するための図である。
【００６０】
変動値表示システムは、インターネット投票Ｇ／Ｗシステム２００と、ＶＡＮサーバ３００と、クライアント端末４００、５００、６００及び７００を備えている。これらはインターネットなどのネットワークＮＷに接続されている。インターネット投票Ｇ／Ｗシステム２００とＶＡＮサーバ３００はそれぞれ、ネットワークＮＷを介して相互にデータ通信を行うための通信装置を備えている。また、インターネット投票Ｇ／Ｗシステム２００とクライアント端末４００（５００から７００も同様）はそれぞれ、ネットワークＮＷを介して相互にデータ通信を行うための通信装置を備えている。
【００６１】
インターネット投票Ｇ／Ｗシステム２００は、ワークステーションなどの比較的高性能のコンピュータであり、コンピュータ本体に内蔵されている通信インターフェース２１０（通信ＩＦ）を介してネットワーク（ＮＷ）に接続されており、その内部はバス２２０（ＢＵＳ）を中心に、中央処理装置２３０（ＣＰＵ）、主記憶装置２４０（ＭＭ）、ハードディスク装置２５０（ＨＤ）、表示装置２６０（ＣＲＴ）およびキーボード２７０（ＫＢＤ）を備えている。なお、インターネット投票Ｇ／Ｗシステム２００が販売対象と販売対象に対する更新後の変動値とを保持する外部システムに相当する。
【００６２】
ハードディスク装置２５０には、図１４に示すように、ＩＮＦＯＲＭＩＸＤＢ（データベース）２５１と、ＤＢ（データベース）化部２５２及びＨＴＭＬ生成部２５３を実現するための所定プログラムが格納されている。
【００６３】
図１６は、主に、ＩＮＦＯＲＭＩＸＤＢ（データベース）の構成を説明するための図である。ＩＮＦＯＲＭＩＸＤＢ２５１は、図１６に示すように、出走馬データベース２５１ａ、競走馬データベース２５１ｂ、及び、オッズデータベース（単勝オッズデータベース２５１ｃ、馬連オッズデータベース２５１ｄ、及び、枠連オッズデータベース２５１ｅなど）などによって構成されている。これらのデータベースは関係データベースであり、問い合わせ言語であるＳＱＬ（Structured Query Language）によってデータの選択、挿入、変更、および、削除などが可能となっている。
【００６４】
図１７は、ＩＮＦＯＲＭＩＸＤＢ（データベース）のＥＲ図を表している。これらのデータベースは、ＤＢ化部２５２によってＶＡＮサーバ３００（上記実施例ではＶＡＮサーバ３として説明した）からの受信データに基づいてデータベース化されたものである。
【００６５】
オッズデータベースには、単勝オッズデータベース２５１ｃ、馬連オッズデータベース２５１ｄ、及び、枠連オッズデータベース２５１ｅなどの他、複勝オッズデータベース、拡大馬連オッズデータベース、現時点では発売されていないが将来的に発売され得る馬券に対する各種オッズデータベースも含まれる。オッズデータベースには、販売対象（馬券）とその販売対象に対する変動値（オッズ）が対応づけられて登録されている。オッズとは馬券に対する概算払い戻し率のことであり、通常、トータリゼーターシステムによって管理されている。オッズは、このトータリゼーターシステムによって数分〜数時間の単位で更新される。すなわち、オッズは、経時的に変化し得る変動値である。オッズデータベースは、ＤＢ化部２５２によってＶＡＮサーバー３００からの受信データに含まれるオッズ更新データに基づいて逐次更新されるようになっている。
【００６６】
インターネット投票Ｇ／Ｗシステム２００は、クライアント端末４００（クライアント端末５００から７００も同様）からリクエストを受けた場合には、ＨＴＭＬ生成部２５３によってＩＮＦＯＲＭＩＸＤＢ２５１に登録されたデータに基づいてＨＴＭＬファイルを生成し、リクエスト元のクライアント端末４００に対して配信する。
【００６７】
インターネット投票Ｇ／Ｗシステム２００はまた、既存の投票系システム９００が接続された投票系システム連携部２１１を備えており、この投票系システム９００と連携して、クライアント端末４００からの勝馬投票（馬券の購入）を受け付けるようになっている。
【００６８】
クライアント端末４００（クライアント端末５００から７００も同様）は、パーソナルコンピュータなどの情報端末であり、コンピュータ本体、そのコンピュータ本体に内蔵されているハードディスク装置などの記憶装置、キーボードやマウスなどの入力手段、および、ＣＲＴディスプレイや液晶ディスプレイなどの画像表示装置などを備えている。
【００６９】
クライアント端末４００のハードディスク装置には、ウインドウズやマックＯＳやＵＮＩＸなどの所定のオペレーティングシステムがインストールされており、さらに、図１５に示すように、そのオペレーティングシステム上で実行されるブラウザ（主にＷｅｂサーバにアクセスしてホームページを閲覧するためのソフトウエア）がインストールされている。この実施の形態では、ブラウザを介して勝馬予想のシミュレーション及び勝馬投票を行うようになっている。これに対して、従来の競馬予想のシミュレーション及び勝馬投票は、図３０に示すように、シミュレーションソフト及び投票ソフトが個別にインストールされている。
【００７０】
クライアント端末４００は、インターネット投票Ｇ／Ｗシステム２００から配信されるＨＴＭＬファイルを受信し、ブラウザによって各種の画面を表示する。クライアント端末４００はまた、入力手段から入力された投票データ（ユーザーが選択した馬券を指定するデータなどを含むデータ）などをインターネット投票Ｇ／Ｗシステム２００に対して送信する。これにより、ユーザーはクライアント端末４００から勝馬投票が可能になっている。なお、クライアント端末４００としては、ｉモードなどの携帯端末を用いてもよい。
【００７１】
次に、上記販売対象の変動値表示システムの動作について図１４、図１８及び図１９を参照しながら説明する。図１８及び図１９は、販売対象の変動値表示システムの動作を説明するためのフローチャートである。
【００７２】
勝馬投票（馬券購入）をしようとするユーザーがクライアント端末４００（クライアント端末５００から７００でも同様）でブラウザを起動し（Ｓ１００）、所定のＵＲＬを指定すると（Ｓ１０１）、インターネット投票Ｇ／Ｗシステム２００から本システムのトップページ画面が配信され（Ｓ１０２）、図３に示すように表示される（Ｓ１０３）。このとき、ユーザーＩＤ及びパスワードの入力画面をポップアップ表示して、投票系システム９００を利用するために必要となるユーザーＩＤ及びパスワードを入力させるようにしてもよい。
【００７３】
トップページ画面に表示されている「Ａｎａｌｙｚｅｒ（分析）」ボタンがマウスによってクリックされると（Ｓ１０４：Ｙｅｓ）、インターネット投票Ｇ／Ｗシステム２００は、ＨＴＭＬ生成部２５３によってＩＮＦＯＲＭＩＸＤＢ２５１に登録されたデータに基づいてレース一覧画面（ＨＴＭＬファイル）を生成し、クライアント端末４００に対して配信する（Ｓ１０５）。
【００７４】
クライアント端末４００は、ブラウザによってその配信されたレース一覧画面を表示する（Ｓ１０６）。レース一覧画面としては、たとえば、週末に行われる全てのレースについて、レース開催日、開催場所（東京、中山など）、及び、レース名（１Ｒ、２Ｒ・・・、○○賞など）を表示する。
【００７５】
レース一覧画面に表示されているいずれかのレース名がマウスによってクリック（選択）されると（Ｓ１０７：Ｙｅｓ）、インターネット投票Ｇ／Ｗシステム２００は、ＨＴＭＬ生成部２５３によってその時点でＩＮＦＯＲＭＩＸＤＢ２５１に登録されているデータ（オッズデータベースに登録されているオッズを含む）に基づいて該当する選択レース（Ｓ１０７で選択されたレース。以下、同じ。）のオッズを含む予想結果画面（ＨＴＭＬファイル）を生成し、クライアント端末４００に対して配信する（Ｓ１０８）。
【００７６】
なお、予想結果画面に含まれる予想馬券は、所定の予想プログラムを実行することによってデフォルトの予想条件及びその予想条件に対する重み付け（評価基準）に基づいて予想を行った結果である。
【００７７】
クライアント端末４００は、図２０に示すように、ブラウザによってその配信された予想結果画面２６１を表示する（Ｓ１０９）。図２０は、予想結果画面の表示例を示している。予想結果画面２６１は、選択レースに対する予想結果などを表示する画面であり、選択レースに出走予定の競走馬に関する情報の表示領域２６１ａ、予想結果表示選択領域２６１ｂ、予想条件選択領域２６１ｃ、Ｐｏｉｎｔ変更ボタン２６１ｄ、オッズページ移動ボタン２６１ｅ、及び、投票締め切り予定時刻表示領域２６１ｆによって構成されている。
【００７８】
競走馬に関する情報の表示領域２６１ａには、選択レースに出走予定の競走馬ごとに、枠、投票（購入）しようとする単勝式馬券を選択するためにマウスによってチェック入力されるチェックボックス、馬番、場名、単勝オッズ、性、持ち時計、３Ｆタイム、騎手名、調教師名、及び、予想条件に対する重み付けが表示される。なお、予想条件としては人気順、前五走、前走、前々走、コース、距離適正、獲得賞金、馬連率、馬複率、騎連率、騎複率、調連率、調複率、合計、及び、順位がある。
【００７９】
合計は、予想条件に対する重み付けを合計した値である。この合計は、逐次更新されるオッズデータベースの値を加えて算出されるものであり出走予定馬の能力を表している。順位は、合計した値が高いものから順に１、２、３、・・・のように順位付けしたものである。予想条件に対する重み付けとしては０から１０の間の１１の数値がある。
【００８０】
予想結果表示選択領域２６１ｂには、インターネット投票Ｇ／Ｗシステム２００に予め設定されているデフォルトの予想条件（又は、予想条件選択領域２６１ｃで選択された予想条件）に基づいて予想された組み合わせ（馬連式馬券）、その馬連式馬券に対するオッズ、及び、投票（購入）しようとする馬連式馬券を選択するためにマウスによってチェック入力されるチェックボックスが表示される。図２０は、予想結果の馬連式馬券としての能力上位６頭全ての組み合わせ（合計１５の馬連式馬券）を表示した例を示している。
【００８１】
予想条件選択領域２６１ｃには、複数の予想条件と、それらの予想条件のうち予想に用いる予想条件を選択するためにチェック入力されるチェックボックスが表示される。図２０は、予想に用いる予想条件として人気、前五走、馬連対、及び、騎手連対にチェック入力した例を示している。予想に用いる予想条件にチェック入力した状態でＰｏｉｎｔ変更ボタン２６１ｄがクリックされると、インターネット投票Ｇ／Ｗシステム２００は、所定の予想プログラムを実行することによってチェック入力された予想条件及びその予想条件に対する重み付け（評価基準）に基づいて予想を行う。そして、ＨＴＭＬ生成部２５３によってその予想結果を含む予想結果画面２６１を再生成し、クライアント端末４００に対して配信する。クライアント端末４００は、図２１に示すように、ブラウザによってその配信された予想結果画面２６１を表示する。なお、予想条件に対する重み付けは、評価基準変更画面を介して変更可能となっている。評価基準変更画面は、例えば、予想結果画面２６１中の「自由設定」がマウスでクリックされることによって図１２に示すように表示される。
【００８２】
投票締め切り予定時刻表示領域２６１ｆには、選択レースに対する投票締め切り予定時刻が表示される。なお、投票締め切り予定時刻は、予め設定した時刻になった場合に、当初の態様とは異なる態様で表示するようにしてもよい。例えば、締め切り予定時刻の５分前を予め設定しておき、その設定時刻になった場合に、投票締め切り予定時刻を点滅表示させたり、当初とは異なる色で表示させることが考えられる。このようにすれば、投票締め切り予定時刻がせまっていることをユーザーに報知できる。
【００８３】
クライアント端末４００は、更新タイミング（例えば、１分間隔）になると、予想結果画面２６１に表示されているオッズを更新表示するために、自動的に予想結果画面の更新のリクエストをインターネット投票Ｇ／Ｗシステム２００に対して通知する（Ｓ１１０：Ｙｅｓ）。この更新表示の対象となるオッズとしては、競走馬に関する情報の表示領域２６１ａに表示されている単勝オッズ、及び、予想結果表示選択領域２６１ｂに表示されている予想された組み合わせ（馬連式馬券）に対するオッズがある。
【００８４】
インターネット投票Ｇ／Ｗシステム２００は、クライアント端末４００から予想結果画面の更新のリクエストを受けると、ＨＴＭＬ作成部２１０によってその時点でＩＮＦＯＲＭＩＸＤＢ２５１に登録されているデータ（オッズデータベースに登録されているオッズを含む）に基づいて該当する選択レースのオッズを含む予想結果画面（ＨＴＭＬファイル）を生成し、クライアント端末４００に対して配信する（Ｓ１０８）。クライアント端末４００は、図２１に示すように、ブラウザによってその配信された予想結果画面を表示する（Ｓ１０９）。
【００８５】
オッズデータベースは、上述したように、ＤＢ化部２５２によってＶＡＮサーバ３００からの受信データに含まれるオッズ更新データに基づいて逐次更新されるようになっている。このため、クライアント端末４００から予想結果画面の更新のリクエストを受けた時点でＩＮＦＯＲＭＩＸＤＢ２５１に登録されているオッズデータベースが更新されていると、ＨＴＭＬ作成部２５３によってその時点で更新されているオッズを含む予想結果画面（ＨＴＭＬファイル）が生成されることになる。クライアント端末４００は、インターネット投票Ｇ／Ｗシステム２００から通信手段を介して更新後のオッズ（変動値）を含む予想結果画面を取得することになる（取得手段）。そして、クライアント端末４００は、ブラウザによってその更新されているオッズを含む予想結果画面を表示する（Ｓ１０９）。すなわち、クライアント端末４００は、更新後のオッズを含む予想結果画面に基づいてオッズの更新表示を行う（更新表示手段）。
【００８６】
このように、クライアント端末４００では、馬券に対するオッズが逐次更新表示されるようになっている。このため、ユーザーは、逐次更新表示されるオッズを参照しながら、馬券を購入するか否かを決定することが可能になる。
【００８７】
また、競走馬に関する情報の表示領域２６１ａに表示される合計は逐次更新されるオッズデータベースの値を加えて算出されるため、オッズの更新表示を行った場合には、その合計も更新表示されることになる。
【００８８】
なお、Ｓ１０８において予想結果画面をＪＡＶＡアプリ又はＪＡＶＡスクリプトとして生成して配信し、以後、クライアント端末４００は、予想結果画面の更新のリクエストを行うごとに、インターネット投票Ｇ／Ｗシステム２００から通信手段を介して更新後のオッズ（変動値）のみを取得し（取得手段）、ブラウザによってその更新後のオッズに基づいて予想結果画面に表示されているオッズの表示部分だけの更新表示を行うようにしてもよい（更新表示手段）。
【００８９】
予想結果表示選択領域２６１ｂに表示された馬連式馬券の中からユーザーが投票（購入）しようとする馬連式馬券に対応するチェックボックスにチェック入力された状態で（Ｓ１１１）収支計算ボタン２６１ｇがクリックされると（Ｓ１１２：Ｙｅｓ）、インターネット投票Ｇ／Ｗシステム２００は、ＨＴＭＬ生成部２５３によって収支画面を生成し、クライアント端末４００に対して配信する（Ｓ１１３）。クライアント端末４００は、図２２に示すように、ブラウザによってその配信された収支画面２６２を表示する（Ｓ１１４）。図２２は、図２１に示した予想結果表示画面２６１で、ウイズハヤテカゼの単勝式馬券購入を示すチェックボックスと、馬連式馬券７−１２、１１−１２、７−１１、及び７−１５の購入を示すチェックボックスにそれぞれチェック入力された状態で、収支計算ボタン２６１ｇがクリックされたときに表示される収支画面の表示例を示している。
【００９０】
収支画面２６２には、予想結果画面２６１でチェック入力された馬券２６２ａと、その馬券２６２ａに対するオッズ２６２ｂと、その馬券２６２ａに対する購入金額の入力欄２６２ｃと、既存の投票系システム９００から取得される口座残高２６２ｄと、投票締め切り予定時刻２６２ｅと、収支計算ボタン２６２ｆとが表示される。収支画面２６２には後述する投票ボタンを表示するようにしてもよい。ユーザーは、口座残高２６２ｄを参照しながら、キーボードから購入金額の入力欄２６２ｃに馬券の購入金額を入力する（Ｓ１１５）。なお、収支画面２６２に表示された馬券２６２ａであっても、該当する購入金額入力欄２６２ｃに「０」を入力することで、その馬券の購入を取り消すことが可能である。図２２は、馬連７−１２の購入が取り消されていることを示している。
【００９１】
購入金額入力欄２６２ｃに購入金額を入力した状態で収支画面２６２に表示された収支計算ボタン２６２ｆがクリックされると、インターネット投票Ｇ／Ｗシステム２００は、ＨＴＭＬ生成部２５３によって投票内容最終確認画面を生成し、クライアント端末４００に対して配信する（Ｓ１１６）。クライアント端末４００は、図２３に示すように、ブラウザによってその配信された投票内容最終確認画面２６３を表示する（Ｓ１１７）。図２３は、投票内容最終確認画面の表示例である。
【００９２】
投票内容最終確認画面２６３には、収支画面２６２で購入金額（０ではない金額）が入力された馬券２６３ａと、その馬券２６３ａに対するオッズ２６３ｂと、その馬券２６３ａに対する購入金額（掛金）と、払戻金と、収支と、口座残高２６３ｃと、投票締め切り予定時刻２６３ｄと、購入差引２６３ｅと、投票ボタン２６３ｆとが表示される。ユーザーは、投票内容最終確認画面２６３に表示内容を確認した上で、投票ボタン２６３ｆをクリックすることになる。
【００９３】
なお、収支画面をＪＡＶＡアプリ又はＪＡＶＡスクリプトとして生成して配信するなどすれば、クライアント端末４００自体で投票内容最終確認画面を生成して表示することが可能である。
【００９４】
投票ボタン２６３ｆがクリックされると、その投票内容最終確認画面２６３に表示された内容（少なくとも、チェック入力により購入を選択した馬券を指定するためのデータ及びその馬券に対する購入金額）が投票データとして、インターネット投票Ｇ／Ｗシステム２００に対して送信される（Ｓ１１８：Ｙｅｓ）。
【００９５】
このようにこの実施の形態では、従来のようにシミュレーションソフトと投票ソフトを連携させることなく、シミュレーションで導き出した予想馬券（買目ともいう）と購入金額とを直接投票できるようになっている。
【００９６】
なお、これ以後の通信は、インターネット上で投票データが不正に閲覧されたり改ざんされたりすることを防止するために、インターネット投票Ｇ／Ｗシステム２００との間でデータを送受する場合はＳＳＬなどの公知の暗号処理を施した上で行うようになっている。
【００９７】
インターネット投票Ｇ／Ｗシステム２００は、クライアント４００から受信した投票データを既存の投票系システム９００に対して転送する（Ｓ１１９）。投票系システム９００は、所定の金融機関に設けられているユーザーの投票用の口座とその残高とが対応づけられたデータベース９０１を保持している。
【００９８】
所定のプログラムによって実現される投票系処理部９０２は、転送された投票データを復号し、データベース９０１を参照して、その投票データ送信者であるユーザーの口座残高と投票データに含まれる購入金額の総額とを比較する。そして、投票系システム９００は、購入金額の総額が口座残高を超えていない場合には、受付番号を発行し、処理結果ＯＫを示すデータと共に処理結果データとして投票システム連携部２１１に対して送信する（Ｓ１２０）。以後、投票系システム９００は、既存の投票受付処理などを行う。
【００９９】
投票システム連携部２１１は、処理結果ＯＫを含む処理結果データを受信した場合には、ＨＴＭＬ生成部２１２によってその受信した処理結果データに含まれる受付番号を含む受付番号通知画面を生成し、投票データ送信元のクライアント端末４００に対して配信する（Ｓ１２１）。クライアント端末４００は、ブラウザによってその配信された受付番号通知画面を表示する（Ｓ１２２）。
【０１００】
一方、投票系処理部９０２は、購入金額の総額が投票データ送信者であるユーザーの口座残高を超えていたり、投票締め切り予定時刻を過ぎていたり、購入金額が予め設定されている上限額を超えている場合などには、それらを特定するためのエラー特定データを発行し、処理結果ＮＧを示すデータと共に処理結果データとして投票システム連携部２１１に対して送信する（Ｓ１２０）。
【０１０１】
投票システム連携部２１１は、処理結果ＮＧを含む処理結果データを受信した場合には、ＨＴＭＬ生成部２１２によってその受信した処理結果データに含まれるをエラー特定データに応じたエラーメッセージを含むエラー通知画面を生成し、投票データ送信元のクライアント端末４００に対して配信する（Ｓ１２３）。クライアント端末４００は、ブラウザによってその配信されたエラー通知画面を表示する（Ｓ１２４）。
【０１０２】
図２４は、選択レースに対する全ての馬券の選択画面の表示例を示している。この馬券選択画面２６４は、ブラウザ上の所定のボタンがクリックされた場合に、ＨＴＭＬ生成部２５３によってその時点でＩＮＦＯＲＭＩＸＤＢ２５１に登録されているデータ（オッズデータベースに登録されているオッズを含む）に基づいて生成されたものである。
【０１０３】
馬券選択画面２６４は、単勝式馬券選択領域２６４ａ、枠連式馬券選択領域２６４ｂ、及び、馬連式馬券選択領域２６４ｃによって構成されている。各領域には、選択レースで投票可能な全ての単勝式馬券、枠連式馬券、及び、馬連式馬券と、それら馬券に対するオッズと、それらの馬券のうち投票（購入）しようとする馬券を選択するためにチェック入力するチェックボックスが表示されている。これらのオッズは、上記予想結果画面２６１に表示されているオッズと同様に、逐次更新表示されるようになっている。
【０１０４】
馬券選択画面２６４に表示された馬券群の中からユーザーが投票（購入）しようとする馬券に対応するチェックボックスにチェック入力した状態で送信ボタン２６４ｄがクリックされると、図２５に示すように、収支画面が表示され、同収支画面で収支計算ボタンがクリックされると、図２６に示すように、投票内容最終確認画面が表示され、同投票内容最終確認画面で投票ボタンがクリックされると投票データがインターネット投票Ｇ／Ｗシステム２００に対して送信される。この一連の動作及びこれ以後の動作は、図１８から図２３を用いて説明した動作と同様である。
【０１０５】
図２７は、選択レースに対する馬券の選択画面の表示例を示している。この馬券選択画面２６５は、ブラウザ上の所定のボタン（例えば、図２０に表示されているオッズページ移動ボタン２６１ｅ）がクリックされた場合に、ＨＴＭＬ生成部２５３によってその時点でＩＮＦＯＲＭＩＸＤＢ２５１に登録されているデータ（オッズデータベースに登録されているオッズを含む）に基づいて生成されたものである。
【０１０６】
馬券選択画面２６５は、単勝式馬券選択領域２６５ａ、馬連式馬券（上位２０）選択領域２６５ｂ、枠連式馬券（上位２０）選択領域２６５ｃ、流し馬券選択領域２６５ｄ、及び、ボックス馬券選択領域２６５ｅによって構成されている。各領域には、選択レースで投票可能な全ての単勝式馬券、枠連式馬券、及び、馬連式馬券と、それら馬券に対するオッズと、それらの馬券のうち投票（購入）しようとする馬券を選択するためにチェック入力するチェックボックスが表示されている。これらのオッズは、上記予想結果画面２６１に表示されているオッズと同様に、逐次更新表示されるようになっている。
【０１０７】
馬券選択画面２６４に表示された馬券群の中からユーザーが投票（購入）しようとする馬券に対応するチェックボックスにチェック入力した状態で送信ボタン２６４ｄがクリックされると、図２８に示すように、収支画面が表示され、同収支画面で収支計算ボタンがクリックされると、図２９に示すように、投票内容最終確認画面が表示され、同投票内容最終確認画面で投票ボタンがクリックされると投票データがインターネット投票Ｇ／Ｗシステム２００に対して送信される。この一連の動作及びこれ以後の動作は、図１８から図２３を用いて説明した動作と同様である。
【０１０８】
上記説明した販売対象の変動値表示システムによれば、販売対象に対する経時的に変動し得る変動値の更新表示を行うことができ、ユーザーはその表示を参照しながら販売対象を購入するか否かを判断できる。
【０１０９】
以上、本発明を実施例に基づいて説明したが本発明はこれらに限定されるものではなく、下記の付記を含むものである。
【０１１０】
（付記１）  可読形式のソースデータを入力するステップと、
前記ソースデータから予め用意されたマッチングキーワードを検索するステップと、
前記ソースデータ中で索出されたマッチングキーワードの部分に当該キーワードの個々の情報との関連付けを設定するステップと
前記で関連付けられたソースデータを表示可能なフォーマットに変換するステップとからなる競技情報の提供方法。
【０１１１】
（付記２）  前記ソースデータは、競技情報に関して報道機関が提供する記事データである付記１記載の競技情報の提供方法。
【０１１２】
（付記３）  前記マッチングキーワードは、少なくとも競技対象物および競技結果に関するものである付記１または２記載の競技情報の提供方法。
【０１１３】
（付記４）  複数の報道機関が提供する買い目情報を入力するステップと、
入力された複数の報道機関の買い目情報を一覧表示形式に変換するステップと、
各競技の個別情報を入力するステップと、
前記で一覧表示形式に変換された買い目情報に対して、各競技の個別情報を並記して表示するステップとからなる競技情報の提供方法。
【０１１４】
（付記５）  前記各競技の個別情報は、各競技のオッズ情報である付記４記載の競技情報の提供方法。
【０１１５】
（付記６）  前記に加えて、
各競技の競技結果を入力するステップと、
入力された競技結果を前記買い目情報に関連付けて表示するステップとを有する付記４または５記載の競技情報の提供方法。
【０１１６】
（付記７）  競技対象物毎の複数の個別情報で構成された実績情報を入力するステップと、
個々の競技対象物毎に前記実績情報を表示するステップと、
入力された個々の実績情報の重み付けの変更を促すステップと、
変更された重み付けに基づいて個々の競技対象物毎に予想情報を計算し、表示するステップとからなる競技情報の提供方法。
【０１１７】
（付記８）  ソースデータ提供サーバより可読形式のソースデータを受信する受信モジュールと、
前記ソースデータから予め用意されたマッチングキーワードを検索するためのマッチングテーブルと、
前記ソースデータ中で索出されたマッチングキーワードの部分に当該キーワードの個々の情報との関連付けを設定し、該ソースデータを表示可能なフォーマットに変換する変換モジュールとからなる競技情報の提供装置。
【０１１８】
（付記９）  複数の報道機関が提供する買い目情報を受信する買い目情報受信モジュールと、
入力された複数の報道機関の買い目情報を一覧表示形式に変換する第１の変換モジュールと、
各競技の個別情報を受信する競技情報受信モジュールと、
前記で一覧表示形式に変換された買い目情報に対して、各競技の個別情報を並記した一覧表示形式に変換する第２の変換モジュールとを有する競技情報の提供装置。
【０１１９】
（付記１０）  前記に加えて、各競技のオッズ情報を受信するオッズ情報受信モジュールと、
前記で一覧表示形式に変換された買い目情報に対して、各競技のオッズ情報を関連付けた一覧表示形式に変換する第３の変換モジュールとを有する付記９記載の競技情報の提供装置。
【０１２０】
（付記１１）  競技対象物毎の複数の個別情報で構成された実績情報を受信する実績情報受信モジュールと、
個々の競技対象物毎に前記実績情報を表示する表示モジュールと、
入力された個々の実績情報の重み付けの変更を促す変更入力モジュールと、
変更された重み付けに基づいて個々の競技対象物毎に前記実績情報に基づいた予想情報を計算し表示する予想情報表示モジュールとからなる競技情報の提供装置。
【０１２１】
（付記１２）  可読形式のソースデータを入力するステップと、
前記ソースデータから予め用意されたマッチングキーワードを検索するステップと、
前記ソースデータ中で索出されたマッチングキーワードの部分に当該キーワードの個々の情報との関連付けを設定するステップと
前記で関連付けられたソースデータを表示可能なフォーマットに変換するステップとからなるプログラムを記憶したコンピュータ実行可能な記憶媒体。
【０１２２】
（付記１３）  販売対象とその販売対象に対する経時的に変動し得る変動値とを表示する装置であって、
販売対象と販売対象に対する更新後の変動値とを保持する外部システムとの間でデータ通信を行う通信手段と、
前記外部システムから前記通信手段を介して更新後の変動値を取得する取得手段と、
前記取得された更新後の変動値に基づいて変動値の更新表示を行う更新表示手段とを備える、販売対象の変動値表示装置。
【０１２３】
（付記１４）  購入しようとする販売対象を選択する選択手段と、
購入金額を入力する入力手段と、
前記選択された販売対象を指定するデータと前記入力された購入金額とを前記通信手段を介して所定システムに対して送信する送信手段とをさらに備える、付記１３に記載の販売対象の変動値表示装置。
【０１２４】
（付記１５）  前記販売対象は競技に対する投票券であり、前記変動値は投票券に対するオッズである、付記１３又は１４に記載の販売対象の変動値表示装置。
【０１２５】
（付記１６）  前記投票券は馬券であり、前記オッズは馬券に対するオッズである、付記１５に記載の販売対象の変動値表示装置。
【０１２６】
（付記１７）  前記馬券は予想馬券であり、前記オッズは予想馬券に対するオッズである、付記１６に記載の販売対象の変動値表示装置。
【０１２７】
（付記１８）  販売対象とその販売対象に対する経時的に変動し得る変動値とを表示するシステムであって、
クライアント端末と外部システムとを備え、
前記クライアント端末は、
前記外部システムとの間でデータ通信を行う通信手段と、
前記外部システムから前記通信手段を介して更新後の変動値を取得する取得手段と、
前記取得された更新後の変動値に基づいて変動値の更新表示を行う更新表示手段とを備え、
前記外部システムは、
販売対象とその販売対象に対する更新後の変動値とを保持する手段を備える、販売対象の変動値表示システム。
【０１２８】
（付記１９）  前記クライアント端末は更に、
【０１２９】
購入しようとする販売対象を選択する選択手段と、
購入金額を入力する入力手段と、
前記選択された販売対象を指定するデータと前記入力された購入金額とを前記通信手段を介して所定システムに対して送信する送信手段とを備える、付記１８に記載の販売対象の変動値表示システム。
【０１３０】
（付記２０）  前記販売対象は競技に対する投票券であり、前記変動値は投票券に対するオッズである、付記１８又は１９に記載の販売対象の変動値表示システム。
【０１３１】
（付記２１）  前記投票券は馬券であり、前記オッズは馬券に対するオッズである、付記２０に記載の販売対象の変動値表示システム。
【０１３２】
（付記２２）  前記馬券は予想馬券であり、前記オッズは予想馬券に対するオッズである、付記２１に記載の販売対象の変動値表示システム。
【０１３３】
（付記２３）  販売対象とその販売対象に対する経時的に変動し得る変動値とを表示するプログラムであって、
【０１３４】
販売対象と販売対象に対する更新後の変動値とを保持する外部システムから通信手段を介して更新後の変動値を取得するステップと、
その取得された更新後の変動値に基づいて変動値の更新表示を行うステップとをコンピュータに実行させるためのプログラム。
【０１３５】
（付記２４）  購入しようとする販売対象を選択するステップと、
購入金額を入力するステップと、
前記選択された販売対象を指定するデータと前記入力された購入金額とを前記通信手段を介して所定システムに対して送信するステップとを含む、付記２３に記載のプログラム。
【０１３６】
（付記２５）  前記販売対象は競技に対する投票券であり、前記変動値は投票券に対するオッズである、付記２３又は２４に記載のプログラム。
【０１３７】
（付記２６）  前記投票券は馬券であり、前記オッズは馬券に対するオッズである、付記２５に記載のプログラム。
【０１３８】
（付記２７）  前記馬券は予想馬券であり、前記オッズは予想馬券に対するオッズである、付記２６に記載のプログラム。
【発明の効果】
本発明によれば、複数の報道機関からのソースデータを情報閲覧用フォーマットに一括して変換することにより、ユーザにとって利便性・閲覧性の高い競技情報を提供することができる。
【図面の簡単な説明】
【図１】  実施例の各サーバの機能を示す概略ブロック図
【図２】  実施例のシステム構成を示すブロック図
【図３】  実施例の競技情報提供サーバのトップページを示す説明図
【図４】  実施例のデータの流れを示すブロック図
【図５】  実施例の新聞社サーバでのソースデータの表示状態を示す説明図
【図６】  実施例の競技情報提供サーバでの表示状態を示す説明図
【図７】  実施例の競技情報提供サーバでのテーブル構成を示すブロック図
【図８】  実施例の買い目情報の表示状態を示す説明図
【図９】  実施例の各データベースの更新方法を示す説明図
【図１０】  実施例のデータベースの内容を示す説明図
【図１１】  実施例の実績データの表示状態を示す説明図
【図１２】  実施例の予想データの表示状態を示す説明図
【図１３】  販売対象の変動値表示システムの概略システム構成を説明するための図である。
【図１４】  主に、販売対象の変動値表示システムのハード構成を説明するための図である。
【図１５】  主に、販売対象の変動値表示システムのハード構成を説明するための図である。
【図１６】  主に、ＩＮＦＯＲＭＩＸＤＢ（データベース）の構成を説明するための図である。
【図１７】  ＩＮＦＯＲＭＩＸＤＢ（データベース）のＥＲ図である。
【図１８】  販売対象の変動値表示システムの動作を説明するためのフローチャートである。
【図１９】  販売対象の変動値表示システムの動作を説明するためのフローチャートである。
【図２０】  予想結果画面の表示例である。
【図２１】  オッズが更新表示された後の予想結果画面の表示例である。
【図２２】  収支画面の表示例である。
【図２３】  投票内容最終確認画面の表示例である。
【図２４】  馬券選択画面の表示例である。
【図２５】  収支画面の表示例である。
【図２６】  投票内容最終確認画面の表示例である。
【図２７】  馬券選択画面の表示例である。
【図２８】  収支画面の表示例である。
【図２９】  投票内容最終確認画面の表示例である。
【図３０】  従来の勝馬予想及び投票システムの構成を説明するための図である。
【符号の説明】
１  競技情報提供サーバ
２（２ａ，２ｂ，２ｃ）  新聞社サーバ
３  ＶＡＮサーバ
４（４ａ，４ｂ，４ｃ）  認証・課金サーバ
ＵＳＲ１〜４  ユーザ端末
ＮＷ  ネットワーク
ＨＤ  ハードディスク装置
ＣＰＵ  中央処理装置
ＭＭ  主記憶装置
ＢＵＳ  バス
ＣＲＴ  表示装置
ＫＢＤ  キーボード
２００  インターネット投票Ｇ／Ｗシステム
２１０  通信インターフェース
２２０  バス
２３０  中央処理装置
２４０  主記憶装置
２５０  ハードディスク装置
２５１  ＩＮＦＯＲＭＩＸＤＢ（データベース）
２５２  ＤＢ（データベース）化部
２５３  ＨＴＭＬ生成部
３００  ＶＡＮサーバ
４００  クライアント端末
９００  投票系システム
【図１】
0003971589.tif 000002
【図２】
0003971589.tif 000003
【図３】
0003971589.tif 000004
【図４】
0003971589.tif 000005
【図５】
0003971589.tif 000006
【図６】
0003971589.tif 000007
【図７】
0003971589.tif 000008
【図８】
0003971589.tif 000009
【図９】
0003971589.tif 000010
【図１０】
0003971589.tif 000011
【図１１】
0003971589.tif 000012
【図１２】
0003971589.tif 000013
【図１３】
0003971589.tif 000014
【図１４】
0003971589.tif 000015
【図１５】
0003971589.tif 000016
【図１６】
0003971589.tif 000017
【図１７】
0003971589.tif 000018
【図１８】
0003971589.tif 000019
【図１９】
0003971589.tif 000020
【図２０】
0003971589.tif 000021
【図２１】
0003971589.tif 000022
【図２２】
0003971589.tif 000023
【図２３】
0003971589.tif 000024
【図２４】
0003971589.tif 000025
【図２５】
0003971589.tif 000026
【図２６】
0003971589.tif 000027
【図２７】
0003971589.tif 000028
【図２８】
0003971589.tif 000029
【図２９】
0003971589.tif 000030
【図３０】
0003971589.tif 000031